【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
壁面に固定される手すりであって、  
壁面に固定される補強部材と、  
前記補強部材を覆うように前記壁面に並設された装飾パネルを貫通し、前記補強部材に一端が固定され、他端が前記装飾パネルから突出するように設けられた取付部材と、  
前記取付部材に取り付けるための端部を有する手すり部材と、を有し、  
前記手すり部材の端部は、その軸心方向に沿って、内部が中空形状に形成された中空構造として構成され、  
前記取付部材は、
前記補強部材に一端が当接し、他端が前記装飾パネルを貫通して延設された中空の第１取付部材と、
該第１取付部材に挿通され、一端が前記補強部材に固定され、他端に前記第１取付部材を
固定する固定部を備えた第２取付部材と、から構成され、
前記手すり部材には、ボルト挿通孔が形成され、
前記第１取付部材には、前記手すり部材のボルト挿通孔に対応する位置にボルト締結孔が
形成されており、
該手すりの端部の中空内に前記取付部材を挿通することにより、前記壁面に固定されることを特徴とする手すり。
【請求項２】
前記第１取付部材は、当該第１取付部材の軸心と直交する取付部を備え、  
前記手すり部材の端部が挿通された状態で、前記手すり部材の軸心と直交する下方向から挿通された固定部材が前記取付部に固定されることで、前記手すり部材は前記第１取付部材に固定されるように構成されていることを特徴とする請求項２記載の手すり。
【請求項３】
前記手すり部材もしくは前記第１取付部材には、両者の固定に対して軸心方向に固定位置の調整を許容する長穴が形成されていることを特徴とする請求項３記載の手すり。
【請求項４】
前記手すり部材に設けられたボルト挿通孔は前記長穴であり、  
前記第１取付部材には、長穴による位置調整機能を延長できるように前記ボルト締結孔が複数設けられていることを特徴とする請求項４記載の手すり。
【請求項５】
前記第１取付部材は、前記取付部材の位置が所定の位置になるように位置規制されるよう構成されていることを特徴とする請求項３記載の手すり。
【手続補正２】
【補正対象書類名】明細書
【補正対象項目名】００１０
【補正方法】変更
【補正の内容】
【００１０】
壁面に固定される手すりであって、  
壁面に固定される補強部材と、  
前記補強部材を覆うように前記壁面に並設された装飾パネルを貫通し、前記補強部材に一端が固定され、他端が前記装飾パネルから突出するように設けられた取付部材と、前記取付部材に取り付けるための端部を有する手すり部材と、を有し、前記手すり部材の端部は、その軸心方向に沿って、内部が中空形状に形成された中空構造として構成され、  
前記取付部材は、前記補強部材に一端が当接し、他端が前記装飾パネルを貫通して延設された中空の第１取付部材と、該第１取付部材に挿通され、一端が前記補強部材に固定され、他端に前記第１取付部材を固定する固定部を備えた第２取付部材と、から構成され、
前記手すり部材には、ボルト挿通孔が形成され、前記第１取付部材には、前記手すり部材のボルト挿通孔に対応する位置にボルト締結孔が形成されており、該手すりの端部の中空内に前記取付部材を挿通することにより、前記壁面に固定される。
【手続補正３】
【補正対象書類名】明細書
【補正対象項目名】００１１
【補正方法】変更
【補正の内容】
【００１１】
上記のように、一端が補強部材に固定され、装飾パネルから突出するように設けられた取付部材に、端部が中空形状になっている手すりを挿通して取り付けることにより、フランジを設けなくても十分な耐荷重性を備えた手すりを実現することができる。さらに、フランジを省略できることにより、施工性が向上するとともに、デザイン的にも優れたものとなる。また、手すりの取付に際して装飾パネルは取付部材を貫通しているだけで、装飾パネルを介して手すりを補強部材に固定する構造ではないため施工時に装飾パネルを痛める等の問題も防止できる。
また、特に取付部材を、補強部材に一端が固定される第２取付部材と、第２取付部材に挿通して固定される第１取付部材とから構成したことにより、装飾パネルを取り付けた後に、補強部材に対して取付部材を取り付けることができるようになる。さらに、取付部材を手すり部材に挿通することによって手すり部材を取り付けた後、ボルト締結によって固定することが可能となる。これにより、手すり取り付けの際の施工性が向上する。
【手続補正４】
【補正対象書類名】明細書
【補正対象項目名】００１２
【補正方法】変更
【補正の内容】
【００１２】
請求項２に係る発明は、前記第１取付部材は、当該第１取付部材の軸心と直交する取付部を備え、前記手すり部材の端部が挿通された状態で、前記手すり部材の軸心と直交する下方向から挿通された固定部材が前記取付部に固定されることで、前記手すり部材は前記第１取付部材に固定されるように構成されている。
【手続補正５】
【補正対象書類名】明細書
【補正対象項目名】００１３
【補正方法】変更
【補正の内容】
【００１３】
手すり部材は、第１取付部材に設けられた取付部に、軸心と直交する下方向から挿通した固定部材で固定されることにより、装飾パネルと取り外さなくても、手すり部材の着脱を行うことができ、施工性がよい。さらに、固定部材を手すりの下から挿入することにより、固定部材が使用者の目に付きにくくなり、デザイン性もよい。
【手続補正６】
【補正対象書類名】明細書
【補正対象項目名】００１４
【補正方法】変更
【補正の内容】
【００１４】
請求項３に係る発明は、前記手すり部材もしくは前記第１取付部材には、両者の固定に対して軸心方向に固定位置の調整を許容する長穴が形成されている。
【手続補正７】
【補正対象書類名】明細書
【補正対象項目名】００１５
【補正方法】変更
【補正の内容】
【００１５】
上記の長穴により、手すり部材と第１取付部材との固定位置を軸心方向にずらすことができるようになる。その結果、第１取付部材と補強部材との間にスペーサなどを入れなくても装飾パネルの厚さの違いを吸収することができる。つまり、第１取付部材と補強部材との間にスペーサを入れると手すりの取付強度が低下するが、本発明によれば、手すりの取付強度が低下させることなく、装飾パネルの厚さの違いを吸収することができる。
【手続補正８】
【補正対象書類名】明細書
【補正対象項目名】００１６
【補正方法】変更
【補正の内容】
【００１６】
請求項４に係る発明は、前記手すり部材に設けられたボルト挿通孔は前記長穴であり、
前記第１取付部材には、長穴による位置調整機能を延長できるように前記ボルト締結孔が複数設けられている
【手続補正９】
【補正対象書類名】明細書
【補正対象項目名】００１７
【補正方法】変更
【補正の内容】
【００１７】
手すり部材のボルト挿通孔を長穴とし、第１取付部材のボルト締結孔を複数設けて長穴による位置調節機能を延長できるようにしたことにより、長穴の長さを短くすることができ、これにより手すり部材の強度低下を防止することができる。さらに、この長穴によって手すり部材と補強部材の隙間距離を変更できるため、装飾パネルの種類よって種々変更される板厚変化に容易に対応させることができる。例えば装飾パネルがタイルであれば厚さが厚くなるため手すり部材と補強部材までの距離が大きくなる長穴の位置を選択し、薄い樹脂材のようなものであれば距離が小さい長穴を選択することになる。これによって、前記隙間距離を常に最適な状態にでき見栄えを良好にできる。
【手続補正１０】
【補正対象書類名】明細書
【補正対象項目名】００１８
【補正方法】変更
【補正の内容】
【００１８】
請求項５に係る発明は、前記第１取付部材は、前記取付部材の位置が所定の位置になるように位置規制されるよう構成されている。
【手続補正１１】
【補正対象書類名】明細書
【補正対象項目名】００１９
【補正方法】変更
【補正の内容】
【００１９】
これにより、施工時に施工者が別段の配慮をすることなく第１取付部材のボルト締結孔が、予め決まっている例えば使用者の目に付きにくい下面に来るため、何等苦労することなく手すりとの位置合わせが可能になり、一層施工性を向上できる。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】